(57)【要約】【課題】装飾物によって薬剤を大気に放散する効率が低下することがないと共に、その装飾物が薬剤によって汚れることがないようにした装飾物を備えた薬剤放散装置とする。【解決手段】装置本体１の背面側に薬剤放散部２、正面側に装飾物取付部７をそれぞれ設けた送風式の薬剤放散器と、この装飾物取付部７に取付けた装飾物６を備え、前記薬剤放散部２から放出される薬剤を含有した空気を装置本体１の正面に開口した放出口８から放出するようにし、この放出口８と前記装飾物取付部７を区画して薬剤を含有した空気が、装飾物取付部７に取付けた装飾物６に触れることがないようにしたもの。【選択図】図３
2008148660.tif 000002
【特許請求の範囲】
【請求項１】
装置本体１の背面側に薬剤放散部２を設け、この装置本体１の正面側に装飾物取付部７を設けた送風式の薬剤放散器と、
前記装飾物取付部７に取付けた装飾物６を有し、
前記薬剤放散部２は、モータ３で駆動されるファン４と薬剤５を有し、そのファン４を駆動することで薬剤５に空気が触れて薬剤を含有した空気とし、その空気を装置本体１の放出口８から大気に放出するもので、
前記放出口８は装置本体１の正面側に、前記装飾物取付部７と区画して形成されていることを特徴とする装飾物を備えた薬剤放散装置。
【請求項２】
モータ３とファン４と薬剤５と放出口８を有し、そのファン４を駆動することで薬剤を含有した空気を前記放出口８から放出する容器１１と、箱体１０で装置本体１とし、
この容器１１を、前記箱体１０の背面側に着脱自在に取付け、その放出口８を正面側に開口すると共に、この放出口８と装飾物取付部７を区画した請求項１記載の装飾物を備えた薬剤放散装置。
【請求項３】
モータ３とファン４と薬剤５と吐出口１４を有し、そのファン４を駆動することで薬剤を含有した空気を前記吐出口１４から吐出する容器１１と、箱体１０で装置本体１とし、
この容器１１を、前記箱体１０の背面側に着脱自在に取付け、その容器１１の一部と箱体１０の一部で正面側に開口した空洞部を形成し、
この空洞部を、前記吐出口１４と連通して放出口８とした請求項１記載の装飾物を備えた薬剤放散装置。
【請求項４】
装置本体１を、箱体１０と容器１１で構成し、
前記箱体１０は、正面側に、装飾物取付部７と空洞部３５を区画して有すると共に、背面側に容器取付空間部３８を有し、
前記容器１１は、モータ３とファン４と薬剤５と吐出口１４を有し、そのファン４を駆動することで薬剤を含有した空気を前記吐出口１４から吐出するものとし、
この容器１１は、前記箱体１０の容器取付空間部３８に挿入、抜き出し自在で、かつ挿入することで前記吐出口１４と前記空洞部３５が連通して放出口８を形成するようにした請求項１記載の装飾物を備えた薬剤放散装置。
【請求項５】
前記装飾物取付部７は、該装飾物取付部７に取付けた装飾物６の周囲を覆い、その装飾物６が装置本体１の周囲から外側にはみ出すことがないようにする形状である請求項１〜４いずれか１項に記載の装飾物を備えた薬剤放散装置。
【請求項６】
装置本体１の背面側に薬剤放散部２を設け、この装置本体１の正面側に装飾物取付部７を設けた送風式の薬剤放散器と、
前記装飾物取付部７に取付けた装飾物６を有し、
前記薬剤放散部２は、モータ３で駆動されるファン４と薬剤５を有し、そのファン４を駆動することで薬剤５に空気が触れて薬剤を含有した空気とし、その空気を装置本体１の外周面に形成した放出口８から大気に放出するようにしたことを特徴とする装飾物を備えた薬剤放散装置。
【発明の詳細な説明】
【技術分野】
【０００１】
本発明は、送風式の薬剤放散器に装飾物を取付けた装飾物を備えた薬剤放散装置に関する。
【背景技術】
【０００２】
居住空間において、その空間の芳香、消臭、害虫防除などの目的で使用される送風式の薬剤放散器が知られている。
例えば、特許文献１に開示されたように、放散器本体内にファンと薬剤を設け、そのファンを駆動することで薬剤を含む空気を大気に放散するようにした送風式の薬剤放散器が知られている。
また、特許文献２に開示されたように、額縁の上部に造花などの装飾物を取付け、その額縁の下部に芳香剤を取付けると共に、モータで駆動されるファンを取付け、そのファンによって芳香剤に送風するようにした装飾用装置が知られている。
【０００３】
【特許文献１】特開２００３−１０２３６１号公報
【特許文献２】実開平５−２６４９８号公報
【発明の開示】
【発明が解決しようとする課題】
【０００４】
快適な居住空間を得るには、芳香等の薬剤効果を得ると共に、その空間に装飾効果を得て雰囲気を変えることも重要なことである。
しかし、従来の特許文献１に開示された送風式の薬剤放散器は機械的な外観を有するもので、その空間に不釣り合いで違和感を否めないばかりか、前述の装飾効果が期待できない。
このようなことから、前述の薬剤放散器の放散器本体の形状を変えたり色を変えたり、カラーデザインを付与するなどして前述の装飾効果を得ようとしているが、このようにしただけでは、薬剤放散器自身の雰囲気を改良することはできても空間としての雰囲気を変えるに不充分で、十分な装飾効果が得られない。
【０００５】
このことから、特許文献２に開示された装飾用装置のように、放散器本体に装飾物を取付けて装飾効果を得ることが考えられるが、このようにすると、薬剤を含む空気が装飾物に触れることがある。
このように、薬剤を含む空気が装飾物に触れると、その空気に含まれた薬剤の一部が装飾物に付着するので、大気に放散される薬剤の量が減少し、薬剤を大気に放散する効率が悪くなる。
しかも、装飾物が薬剤で汚れてしまう。
【０００６】
本発明の目的は、装飾物によって見栄えが良いものにできると共に、その装飾物によって薬剤を大気に放散する効率が低下することがなく、効率良く薬剤を大気に放散でき、しかも、装飾物が薬剤で汚れることがないようにした装飾物を備えた薬剤放散装置を提供することである。
【課題を解決するための手段】
【０００７】
第１の発明は、装置本体１の背面側に薬剤放散部２を設け、この装置本体１の正面側に装飾物取付部７を設けた送風式の薬剤放散器と、
前記装飾物取付部７に取付けた装飾物６を有し、
前記薬剤放散部２は、モータ３で駆動されるファン４と薬剤５を有し、そのファン４を駆動することで薬剤５に空気が触れて薬剤を含有した空気とし、その空気を装置本体１の放出口８から大気に放出するもので、
前記放出口８は装置本体１の正面側に、前記装飾物取付部７と区画して形成されていることを特徴とする装飾物を備えた薬剤放散装置である。
【０００８】
第２の発明は、第１の発明において、モータ３とファン４と薬剤５と放出口８を有し、そのファン４を駆動することで薬剤を含有した空気を前記放出口８から放出する容器１１と、箱体１０で装置本体１とし、
この容器１１を、前記箱体１０の背面側に着脱自在に取付け、その放出口８を正面側に開口すると共に、この放出口８と装飾物取付部７を区画した装飾物を備えた薬剤放散装置。
【０００９】
第３の発明は、第１の発明において、モータ３とファン４と薬剤５と吐出口１４を有し、そのファン４を駆動することで薬剤を含有した空気を前記吐出口１４から吐出する容器１１と、箱体１０で装置本体１とし、
この容器１１を、前記箱体１０の背面側に着脱自在に取付け、その容器１１の一部と箱体１０の一部で正面側に開口した空洞部を形成し、
この空洞部を、前記吐出口１４と連通して放出口８とした装飾物を備えた薬剤放散装置である。
【００１０】
第４の発明は、第１の発明において、装置本体１を、箱体１０と容器１１で構成し、
前記箱体１０は、正面側に、装飾物取付部７と空洞部３５を区画して有すると共に、背面側に容器取付空間部３８を有し、
前記容器１１は、モータ３とファン４と薬剤５と吐出口１４を有し、そのファン４を駆動することで薬剤を含有した空気を前記吐出口１４から吐出するものとし、
この容器１１は、前記箱体１０の容器取付空間部３８に挿入、抜き出し自在で、かつ挿入することで前記吐出口１４と前記空洞部３５が連通して放出口８を形成するようにした装飾物を備えた薬剤放散装置である。
【００１１】
第５の発明は、第１〜第４いずれか１つの発明において、前記装飾物取付部７は、該装飾物取付部７に取付けた装飾物６の周囲を覆い、その装飾物６が装置本体１の周囲から外側にはみ出すことがないようにする形状である装飾物を備えた薬剤放散装置である。
【００１２】
第６の発明は、装置本体１の背面側に薬剤放散部２を設け、この装置本体１の正面側に装飾物取付部７を設けた送風式の薬剤放散器と、
前記装飾物取付部７に取付けた装飾物６を有し、
前記薬剤放散部２は、モータ３で駆動されるファン４と薬剤５を有し、そのファン４を駆動することで薬剤５に空気が触れて薬剤を含有した空気とし、その空気を装置本体１の外周面に形成した放出口８から大気に放出するようにしたことを特徴とする装飾物を備えた薬剤放散装置である。
【発明の効果】
【００１３】
第１の発明、第６の発明によれば装置本体１の正面側に装飾物６が取付けてあるので、その装飾物６によって見栄えが良いものにできる。
また、薬剤を含む空気は放出口８から放出されると共に、その薬剤が装飾物取付部７に取付けた装飾物６に触れることがないので、その装飾物６によって薬剤を大気に放散する効率が低下することがなく、効率良く薬剤を大気に放散できる。
しかも、装飾物６が大気に放出される薬剤によって汚れることがない。
【００１４】
第１の発明によれば、薬剤を含有した空気は放出口８から装置本体１の正面側に放出されるので、屋内の壁などの縦面に取付けて使用するものとして好ましい。
【００１５】
第６の発明によれば、装置本体１の正面側に装飾物取付部７、外周面に放出口８がそれぞれ形成されているので、装飾物取付部７に取付けた装飾物６で装置本体１の正面を全て覆うようにすることが可能で、正面からの見栄えを優れたものにできる。
【００１６】
第２の発明によれば、容器１１を箱体１０から取り出しできると共に、その容器１１が放出口８を有するから、容器１１を単体として薬剤放散装置として使用できる。
【００１７】
第３の発明によれば、箱体１０と容器１１で放出口８を形成するので、箱体１０、容器１１の形状をそれぞれ単純とすることが可能である。
【００１８】
第４の発明によれば、容器１１を単体として薬剤放散装置として使用できるし、箱体１０を装飾物６を取付ける治具として利用できる。
【００１９】
第５の発明によれば、装飾物６が装置本体１の周囲から外側にはみ出すことがないので、使用時に人が装飾物６に触れたり、装飾物６が物に触れたりすることがなく、装飾物６が脱落したり、損傷することがないと共に、装飾物６を取付けた状態で容易に包装することができる。
【発明を実施するための最良の形態】
【００２０】
本発明の第１の実施の形態を図１〜図４に基づいて説明する。
装置本体１の背面側に薬剤放散部２が設けてある。この薬剤放散部２はモータ３で駆動されるファン４と薬剤５を有し、そのファン４を駆動することで薬剤５に空気が触れて薬剤を含有した空気とし、その空気を装置本体１の正面に向けて放出する。
前記装置本体１の正面側には装飾物６を取付ける装飾物取付部７と放出口８が設けてある。これによって、送風式の薬剤放散器を形成する。
前記装飾物取付部７に装飾物６を取付けることで、装飾物を備えた薬剤放散装置としてある。
【００２１】
前記放出口８は薬剤を含有した空気を装置本体１の正面に向けて放出するもので、この放出口８と前記装飾物取付部７は区画され、前述の薬剤を含有した空気が装飾物取付部７に流れることなく直接大気に放出するようにしてある。
【００２２】
このようであるから、放出口８から放出された薬剤を含有した空気が装飾物６に触れることがなく、その空気に含有した薬剤の全量が大気に放散されるので、装飾物によって薬剤を大気に放散する効率が低下することがなく、効率良く薬剤を大気に放散することができる。
しかも、装飾物６が薬剤で汚れることがない。
【００２３】
また、装置本体１の正面側に装飾物取付部７と放出口８があるので、正面から見た際の見栄えが良いし、正面側に向けて薬剤を含有した空気を放散するから、屋内の壁などの縦面に取付けて使用する薬剤放散装置として好適である。
【００２４】
この実施の形態では、前記装飾物取付部７は、装飾物６の周囲を覆う形状で、装飾物６が装置本体１の周囲から外側にはみ出すことがないようにしてある。
なお、装飾物６は造花などであるが、図１、図３、図４には仮想線で矩形状に図示してある。
このようであるから、使用時に装飾物６に人が触れたり、装飾物６が物に触れたりすることがなく、使用時に装飾物６が装置本体１から脱落したり、損傷したりすることがない。
また、装飾物６を取付けた状態で容易に包装できる。
すなわち、前述の薬剤放散装置は居住空間に置いて使用したり、使用者の体に装着して使用するので、その装飾物６が装置本体１から外側にはみ出した状態であると、使用時に誤って人が装飾物に触れたり、装飾物が物体に触れることで、取付けのバランスが崩れ装飾物が脱落したり、装飾物が損傷することがある。また、触れて装飾物の姿形が崩れて見栄えが悪くなることもある。
また、流通運搬のために装飾物を取付けた状態で包装しようとすると、その装飾物のために包装しづらいので、装飾物と装置本体を別々に包装し、大きな箱等に入れて流通運搬することになり、そのための作業が面倒である。
【００２５】
次に、各部の具体形状を説明する。
前記装置本体１は、箱体１０内の背面側に薬剤放散用の容器１１を設け、その箱体１０内の正面側に空間１２を形成している。
前記容器１１は吸気口１３、吐出口１４、ファン収容室１５、薬剤取付部１６、電池収容室１７を有し、この容器１１の上部に放出口８が形成されている。
前記容器１１の放出口８を形成する放出口部分１１ａは容器１１における装飾物取付部７を形成する正面１１ｂよりも正面側に張り出し、その放出口８と装飾物取付部７を区画している。
なお、区画するとは放出口８から放出された空気が装飾物取付部７には流れずに、直接に正面側に放出されることである。
【００２６】
前記放出口８は前記吐出口１４に連通し、吸気口１３、吐出口１４、放出口８で空気流通路を形成している。
前記薬剤５は、薬効成分を含浸した薬剤含浸体５ａを枠５ｂで保持してある。
そして、枠５ｂを薬剤取付部１６、この実施の形態では吸気口１３に嵌合して着脱自在に取付けてある。
これによって、薬剤放散部２を形成し、ファン４を駆動することで薬剤５を通して空気が吸い込まれて薬剤を含む空気となり、その空気が吐出口１４、放出口８から装置本体１の正面に向けて放出される。
【００２７】
前記空間１２の一部、例えば下部は、装置本体１の箱体１０の下部寄り前面に設けた正面板１８で覆われ、装置本体１の箱体１０と薬剤放散部２の正面２ａ（容器１１の正面１１ｂ）で装飾物支持部７ａを形成し、かつ空間１２の一部、例えば上部は前方に向けて開放して装飾物６の姿形が確保されると共に、前方から目視されるための開放空間７ｂを形成し、この開放空間７ｂと前記装飾物支持部７ａで装飾物取付部７としてある。
このようであるから、開放空間７ｂから装飾物６を挿入して装飾物支持部７ａに押し込むようにして支持することで、装飾物６を装飾物取付部７に取付けできると共に、下部が小さく上部が大きな装飾物６、例えば造花を取付けるのに好ましい。
【００２８】
前記容器１１は装置本体１の箱体１０とは別体で、その箱体１０に着脱自在に取付けてある。
例えば、容器１１は正面板２０と背面板２１と両側面板２２と上庇部２３と下横板２４と中間横板２５でファン収容室１５と電池収容室１７を有している。
前記上庇部２３は正面板２０よりも正面側に張り出し、その上庇部２３は前面に開口した空洞部２３ａを有し、この空洞部２３ａが吐出口１４に連通して、前記放出口８としてある。
前記背面板２１の開口２６の周縁に沿って筒状体２７を一体的に設けて薬剤取付部１６としてある。
前記箱体１０は後面が開口し、その箱体１０の後面開口から容器１１を嵌め込み、抜き出し自在としてある。
このようであるから、容器１１を箱体１０から取り出し、薬剤５を補給したり、交換することが可能である。
【００２９】
前記装置本体１は吊り具、例えば紐で屋内の壁などの縦面に吊り下げて使用したり、装置本体１の下面（箱体１０の下面１０ａ）をテーブルなどの横面に載置して使用する。
【００３０】
前記放出口８は箱１０と容器１１とで構成しても良い。
例えば、図５、図６に示すように、容器１１の上庇部２３を板状とすると共に、背面板２１を上庇部２３よりも上方に張り出した形状とする。
前記背面板２１の上端面２１ａと上庇部２３の左右端面２３ｂを箱体１０の内面１０ｂにそれぞれ接して放出口８とする。
【００３１】
前述の各放出口８は、図１、図５に示すように、ほぼ半円形状であるが、矩形状、三角形状、ほぼ半円のリング形状等、任意の形状とすることができる。
前述の各正面板１８は平面形状が平板状であるが、山型状、Ｕ字状など任意の形状とすることができる。
前述の装置本体１の正面形状は上部が略半円形の矩形状であるが、矩形状、円形状、扇形状、多角形状など任意の形状とすることが可能である。
【００３２】
前述のファン４と薬剤５は装置本体１の上部寄りに設けられ、放出口８が上部に形成してあるが、このファン４、薬剤５は装置本体１の上下方向任意の位置に設けることができるし、放出口８は下部に設けることができる。
例えば、図７に示すようにファン４、薬剤５を装置本体１の下部寄りに取付け、放出口８を装置本体１の下部に形成する。
具体的には、容器１１を正面板２０と背面板２１と左右の側面板２２と上横板２８と中間横板２５と下庇部２９で、上部に電池収容室１７、下部にファン収容室１５を有する形状とする。
前記下庇部２９を正面板２０よりも正面側に張り出し、その下庇部２９は前面に開口した空洞部２９ａを有し、この空洞部２９ａを吐出口１４に連通すると共に、箱体１０の正面板１８の孔１８ａに連通して、前記放出口８とする。
【００３３】
このようにすれば、装置本体１の下面（箱体１０の下面１０ａ）をテーブル等の横面に載置して使用する際に、薬剤を含有した空気が横面に沿って放出されるので、横面の上方部分に薬剤を効率良く放散することが可能である。
なお、このようにファン４と薬剤５を装置本体１の下部寄りに設け、放出口８を装置本体１の下部に形成した場合でも、前述の図５、図６に示すように装置本体１と容器１１とで放出口８を形成することができる。
【００３４】
前述の各実施の形態では容器１１に電池収容室１７を形成したが、これに限ることはなく、箱体１０と容器１１とで電池収容室１７を形成しても良い。
【００３５】
前述の実施の形態では、容器１１に放出口８を形成したり、箱体１０と容器１１で放出口８を形成したが、箱体１０に放出口８を形成し、この箱体１０に容器１１を取付けることで容器１１の吐出口１４と放出口８が連通するようにしても良い。
【００３６】
例えば、図８、図９に示すように、箱体１０を、上面板３０と下面板３１と左右の側面板３２と背面板３３で囲まれた箱形状で、その内面上部寄りに横板３４を設けて正面に開口した空洞部３５を有し、この横板３４と下面板３１と左右の側面板３２に亘って縦板３６を設けて正面側に開口した空間３７と背面側の容器取付空間部３８を有する。
前記下面板３１の背面側と背面板３３に切欠部３１ａ，３３ａをそれぞれ形成し、前記容器取付空間部３８に容器１１を下から挿入、引き出し自在とする。
前記横板３４に孔３４ａを形成し、この孔４３ａと容器１１の吐出口１４が連通するようにすることで、吐出口１４を空洞部３５に連通して放出口８とする。
【００３７】
前記横板３４の孔３４ａの周縁にシール材３９を設け、このシール材３９に容器１１の吐出口１４の周縁を押しつけて吐出口１４から孔３４ａに流れる空気が漏れないようにしてある。
この実施の形態では、容器１１の上横板２８がほぼ半円形で、箱体１０の横板３４の容器取付空間３８を形成する部分の下面がほぼ半円形の凹形状で、両者がシール材３９を介して接するようにしてある。
【００３８】
図９に示すように、空間３７の下部寄りは正面板３７ａで閉塞され、その空間３７を装飾物支持部７ａと開放空間７ｂを有する装飾物取付部７としてある。
【００３９】
このように、箱体１０を、装飾物取付部７と放出口８を有するものとすると共に、その箱体１０に容器１１を着脱自在に取付けたことによって、その容器１１は通常一般に用いる送風式の薬剤放散器と同一の形状とすることが可能である。
したがって、容器１０を単独で使用できる。
また、箱体１０のみを装飾物を取付けるための治具として使用することが可能である。
【００４０】
図８と図９に示す実施の形態では、箱体１０に装飾物取付部７を形成したが、この装飾物取付部７を箱体１０と容器１１で形成しても良い。
例えば、図８、図９に示す箱体１０の縦板３６が無い形状とし、容器１１の正面（正面板２０）と箱体１０で装飾物取付部７とする。
また、箱体１０の下から容器１１を挿入、抜き出し自在としたが、箱体１０の上から容器１１を挿入、抜き出し自在としたり、背面側から容器１１を挿入、抜き出し自在としても良い。
【００４１】
前述の各実施の形態では箱体１０と容器１１を別体として着脱自在としたが、前記箱体１０と容器１１を一体としても良い。
例えば、図１０、図１１、図１２に示すように、容器１１の正面板２０、背面板２１、上庇部２３を箱体１０と一体とし、容器１１の左右の側面板２２と下横板２４を箱体１０で兼用する。
前記箱体１０と上庇部２３と背面板２１で正面に開口した空洞部８ａを形成し、この空洞部８ａを吐出口１４に連通して前記放出口８とする。
この実施の形態では、箱体１０は、ほぼ半円形状の上部１０ｃと、上向きコ字形状の下部１０ｄと、この下部１０ｄと前記上部１０ｃを連結する左右一対の中間部１０ｅを有し、前記上庇部２３は下部１０ｄと一体的に連続したほぼ半円形状で、前記放出口８はほぼ半円形状としてある。
【００４２】
このように、箱体１０と容器１１を一体とした場合でも、その放出口８の形状は前述のように任意の形状にできると共に、その放出口８は上部、下部のどちらにも設けることが可能である。
【００４３】
前述の各実施の形態では、装置本体１の正面に装飾物取付部７と放出口８を設けたが、これに限ることはなく、装飾物取付部７と放出口８を装置本体１０の異なる面にそれぞれ設けることで、その放出口８から放散された薬剤を含有した空気が装飾物取付部７に取付けた装飾物６に触れないようにしても良い。
例えば、図１３〜図１５に示すように、装置本体１の外周面に放出口８を形成し、この放出口８をファン収容室１５に連通して吐出口１４と放出口８を共通とする。
装置本体１の正面に装飾物取付部７を形成する。
前記装飾物取付部７は図１４に示すように、装飾物支持部７ａと開放空間７ｂを有している。
【００４４】
この実施の形態の装飾物取付部７は、前述の各実施の形態と同様に、装飾物６の周囲を覆う形状で、装飾物６が装置本体１の周囲から外側にはみ出すことがないようにしてある。
【００４５】
このようにすれば、装置本体１を正面から見た時に装飾物６が見えて見栄えが良い。また、薬剤を含有した空気は前述の装置本体１における外周面から放出されるので、装飾物６が薬剤で汚れることがない。
【００４６】
このように、装置本体１の正面に装飾物取付部７を設け、装置本体１の外周面に放出口８を形成した場合でも、前述のように箱体１０と容器１１を別体とし、箱体１０に容器１１を着脱自在に取付けるようにしても良い。
【００４７】
前述の各実施の形態の装飾物取付部７は装飾物支持部７ａと開放空間７ｂを有する形状であるが、これに限ることはなく、装置本体１の正面のほぼ全面に開口し、薬剤放散部２の正面２ａに装飾物６を取付ける形状としても良い。
例えば、図３、図１１において、正面板１８が無く容器１１の正面１１ｂ（薬剤放散部２の正面２ａ）における放出口８を形成する部分以外が正面に開口した形状として装飾物取付部７とする。その正面１１ｂに装飾物６を、接着テープ片、止めピンなどの留め具を用いて取付ける。
また、図１４において、正面板１８が無く容器１１の正面１１ｂ（薬剤放散部２の正面２ａ）の全面が開放した形状として装飾物取付部７とする。その正面１１ｂに装飾物６を接着テープ片、止めピンなどの留め具を用いて取付ける。
【００４８】
本発明に用いられる装飾物として、花、観葉植物、草花、アートフラワーリース、アートフラワーガーランドなどの人工花、草、木や犬、猫、鳥、魚、蝶、などの創作動物、昆虫や果実、乗物、人形、ぬいぐるみ、写真、リボン、ペーパークラフト、造形織物、造形物を有する織物など見て美しい物、楽しいもの、癒やすもの、好きなもの、などが挙げられる。
例えば、造花例としては壁掛け調、花輪調、コサージュ調、ブーケ緒、髪飾り調、寄せ花調、花瓶等挿し花調、一輪挿し調、枝垂調、などのオリジナル造花が挙げられる。
【００４９】
本発明の薬剤含浸体５ａの材質として無機質及び有機質の成形材料から成形されたものとしては、紙類（パルプ、リンター、合成紙など）、木製類（おがくずなど）、セラミック、繊維類（化学繊維、ガラス繊維、炭素繊維など）、天然繊維（木綿、羊毛、絹、麻など）、樹脂類（ポリエチレン、ポリプロピレン、レーヨン、ビスコース、高吸油性ポリマーなど）、その他各繊維からの不織布、天然植物等の乾燥物などが挙げられる。成形物の形状としては、有効面積の大きいものが好ましく、粒状、線状、糸状などが例示できる。また、通気性の大きいものが好ましく、ビーズ形、網形、ハニカム形、すのこ形、格子形などが例示できる。
また、薬剤含浸体５ａをファン４に保持しても良い。
また、薬剤として前記のように薬効成分を含浸した薬剤含浸体の他に、薬効成分を適当な溶剤、例えばノルマルパラフィン、イソパラフィン、ナフテン系炭化水素等の石油系溶剤に溶解した油性薬剤、又は水、界面活性剤等を用いて可溶化させた水性薬液を収容した薬剤ボトルでも良い。
【図面の簡単な説明】
【００５０】
【図１】本発明の第１の実施の形態を示す正面図である。
【図２】本発明の第１の実施の形態を示す背面図である。
【図３】図１のＡ−Ａ断面図である。
【図４】図３のＢ−Ｂ断面図である。
【図５】本発明の第２の実施の形態を示す正面図である。
【図６】図５のＣ−Ｃ断面図である。
【図７】本発明の第３の実施の形態を示す断面図である。
【図８】本発明の第４の実施の形態を示す正面図である。
【図９】図８のＤ−Ｄ断面図である。
【図１０】本発明の第５の実施の形態を示す正面図である。
【図１１】図１０のＥ−Ｅ断面図である。
【図１２】図１１のＦ−Ｆ断面図である。
【図１３】本発明の第６の実施の形態を示す正面図である。
【図１４】図１３のＧ−Ｇ断面図である。
【図１５】本発明の第６の実施の形態を示す側面図である。
【符号の説明】
【００５１】
１…装置本体、２…薬剤放散部、２ａ…正面、３…モータ、４…ファン、５…薬剤、６…装飾物、７…装飾物取付部、７ａ…装飾物支持部、７ｂ…開放空間、８…放出口、１０…箱体、１１…容器、１２…空間、１３…吸気口、１４…吐出口、２０…正面板、２１…背面板、２２…側面板、２３…上庇部、２４…下横板、２５…中間横板、２８…上横板、２９…下庇部。
【図１】
2008148660.tif 000003
【図２】
2008148660.tif 000004
【図３】
2008148660.tif 000005
【図４】
2008148660.tif 000006
【図５】
2008148660.tif 000007
【図６】
2008148660.tif 000008
【図７】
2008148660.tif 000009
【図８】
2008148660.tif 000010
【図９】
2008148660.tif 000011
【図１０】
2008148660.tif 000012
【図１１】
2008148660.tif 000013
【図１２】
2008148660.tif 000014
【図１３】
2008148660.tif 000015
【図１４】
2008148660.tif 000016
【図１５】
2008148660.tif 000017